(57)【特許請求の範囲】
【請求項１】
担体と、前記担体の表面上及び／又は内部に配設された、検出成分を含有する反応部分とを備えてなり、分析対象物質を含んだ試料が前記担体の表面に導入されると、前記反応部分に含有された前記検出成分と接触、反応して、検出可能な物質の生成又は検出可能な特性の呈示が可能な分析用試験片であって、
前記反応部分における前記検出成分の含有割合が、前記反応部分の一端から他端までにおいて、連続的に増大又は減少するように構成されてなるものであり、
前記反応部分における前記検出成分が、スポットの集合体として所定の配列パターンで配置されてなるとともに、前記配列パターンを構成するスポットの配置密度が、前記反応部分の一端から他端までにおいて、連続的に増大又は減少するように構成されてなる分析用試験片。
【請求項２】
前記反応部分における前記検出成分が、互いに離隔、独立して配置された複数の種類から構成され、前記検出成分の含有割合が、前記反応部分の一端から他端までにおいて、前記検出成分の種類ごとに、連続的に増大又は減少するように構成されてなる請求項１に記載の分析用試験片。
【請求項３】
前記配列パターンを構成するスポットの前記検出成分の含有量が、前記反応部分の一端から他端までにおいて、連続的に増大又は減少するように構成されてなる請求項１又は２に記載の分析用試験片。
【請求項４】
前記配列パターンを構成するスポットの大きさが、前記反応部分の一端から他端までにおいて、連続的に増大又は減少するように構成されてなる請求項１〜３のいずれかに記載の分析用試験片。
【請求項５】
前記配列パターンを構成するスポットの前記検出成分における、前記担体の厚さ方向の含有量が、前記反応部分の一端から他端までにおいて、連続的に増大又は減少するように構成されてなる請求項１〜４のいずれかに記載の分析用試験片。
【請求項６】
担体と、前記担体の表面上及び／又は内部に配設された、検出成分を含有する反応部分とを備えてなり、分析対象物質を含んだ試料が前記担体の表面に導入されると、前記反応部分に含有された前記検出成分と接触、反応して、検出可能な物質の生成又は検出可能な特性の呈示が可能な分析用試験片であって、
前記反応部分が複数の反応部位に区分されて構成され、前記反応部分における前記検出成分の含有割合が、前記反応部分の一端から他端までにおいて、複数の前記反応部位ごとに、互いに隣接して段階的に、又は互いに離隔、独立して断片的に、増大又は減少するように構成されてなるものであり、
前記反応部分における前記検出成分が、スポットの集合体として所定の配列パターンで配置されてなるとともに、前記配列パターンを構成するスポットの配置密度が、前記反応部分の一端から他端までにおいて、前記反応部分を区分する複数の前記反応部位ごとに、連続して段階的に又は不連続で断片的に、増大又は減少するように構成されてなる分析用試験片。
【請求項７】
前記反応部分における前記検出成分が、互いに離隔、独立して配置された複数の種類から構成され、前記検出成分の含有割合が、前記反応部分の一端から他端までにおいて、前記検出成分の複数の種類にそれぞれ対応した複数の前記反応部位ごとに、互いに隣接して段階的に、又は互いに離隔、独立して断片的に、増大又は減少するように構成されてなる請求項６に記載の分析用試験片。
【請求項８】
前記配列パターンを構成するスポットの前記検出成分の含有量が、前記反応部分の一端から他端までにおいて、前記反応部分を区分する複数の前記反応部位ごとに、連続して段階的に又は不連続で断片的に、増大又は減少するように構成されてなる請求項６又は７に記載の分析用試験片。
【請求項９】
前記配列パターンを構成するスポットの配置の大きさが、前記反応部分の一端から他端までにおいて、前記反応部分を区分する複数の前記反応部位ごとに、連続して段階的に又は不連続で断片的に、増大又は減少するように構成されてなる請求項６〜８のいずれかに記載の分析用試験片。
【請求項１０】
前記配列パターンを構成するスポットの前記検出成分における、前記担体の厚さ方向の含有量が、前記反応部分の一端から他端までにおいて、前記反応部分を区分する複数の前記反応部位ごとに、連続して段階的に又は不連続で断片的に、増大又は減少するように構成されてなる請求項６〜９のいずれかに記載の分析用試験片。
【請求項１１】
前記担体が、繊維質体又は多孔質体である請求項１〜１０のいずれかに記載の分析用試験片。
【請求項１２】
前記検出成分を含有する前記反応部分が、前記担体の表面上及び／又は内部にインクジェット法を用いて配設されたものである請求項１〜１１のいずれかに記載の分析用試験片。
【発明の詳細な説明】
【技術分野】
【０００１】
本発明は、分析対象物質を含んだ試料が導入されると、試料が反応部分に含有された検出成分と接触、反応して、検出可能な物質（信号物質）の生成又は検出可能な特性（信号特性）の呈示が可能な分析用試験片に関する。さらに詳しくは、分析対象物質（例えば、人及び動物の体液、特に尿、血液等）を含んだ試料の性状を検査、分析するための検査チップとして有用で、少量の試料で精密な検査を実施することができるとともに、高品質（高精度、高密度、高感度等）の分析用試験片に関する。
【背景技術】
【０００２】
分析対象物質（例えば、人及び動物の体液、特に、尿、血液等）を含んだ試料の性状を検査、分析するための分析用試験片としては、例えば、吸収性のよい多孔質構造体（多孔質層、多孔性膜など）からなる試験部に試料を均一に吸収させて隣接する試験部との液絡を防止する多孔性膜及びその製造方法が開示されている（特許文献１参照）。また、検出可能な物質を検出するための検出部を有する試験部を１以上設け、検出部に層状無機化合物（合成スメクタイト等）を含有させた分析用試験片が開示されている（特許文献２参照）。
【特許文献１】特開平２−６５４１号公報
【特許文献２】特開平９−１８４８３７号公報
【０００３】
しかしながら、特許文献１や特許文献２に開示された多孔性膜、分析用試験片及びそれらの製造方法には、反応部分において、複数種の検出成分を単一のバッファー中に含浸させているため、検出成分の劣化が早く安定性に欠けたり、反応効率が低く、分析信頼性に問題があるとともに、近年、分析用試験片に要請されている高精度化、高密度化、高感度化等に対応することが困難である等の問題があり、必ずしも十分に満足すべきものではなかった。【０００４】
本発明は、上述の問題に鑑みてなされたものであり、分析対象物質（例えば、人及び動物の体液、特に尿、血液等）を含んだ試料の性状を検査、分析するための検査チップとして有用で、少量の試料で精密な検査を実施することができるとともに、高品質（高精度、高密度、高感度等）の分析用試験片を提供することを目的とする。
【発明の開示】
【０００５】
上記目的を達成するため、本発明によれば、以下の分析用試験片が提供される。
【０００６】
［１］担体と、前記担体の表面上及び／又は内部に配設された、検出成分を含有する反応部分とを備えてなり、分析対象物質を含んだ試料が前記担体の表面に導入されると、前記反応部分に含有された前記検出成分と接触、反応して、検出可能な物質の生成又は検出可能な特性の呈示が可能な分析用試験片であって、前記反応部分における前記検出成分の含有割合が、前記反応部分の一端から他端までにおいて、連続的に増大又は減少するように構成されてなるものであり、前記反応部分における前記検出成分が、スポットの集合体として所定の配列パターンで配置されてなるとともに、前記配列パターンを構成するスポットの配置密度が、前記反応部分の一端から他端までにおいて、連続的に増大又は減少するように構成されてなる分析用試験片（以下、「第１の発明」ということがある）。
【０００７】
［２］前記反応部分における前記検出成分が、互いに離隔、独立して配置された複数の種類から構成され、前記検出成分の含有割合が、前記反応部分の一端から他端までにおいて、前記検出成分の種類ごとに、連続的に増大又は減少するように構成されてなる前記［１ ］に記載の分析用試験片。
【０００９】
［３］前記配列パターンを構成するスポットの前記検出成分の含有量が、前記反応部分の一端から他端までにおいて、連続的に増大又は減少するように構成されてなる前記［１］又は［２］に記載の分析用試験片。
【００１１】
［４］前記配列パターンを構成するスポットの大きさが、前記反応部分の一端から他端までにおいて、連続的に増大又は減少するように構成されてなる前記［１］〜［３］のいずれかに記載の分析用試験片。
【００１２】
［５］前記配列パターンを構成するスポットの前記検出成分における、前記担体の厚さ方向の含有量が、前記反応部分の一端から他端までにおいて、連続的に増大又は減少するように構成されてなる前記［１］〜［４］のいずれかに記載の分析用試験片。
【００１３】
［６］担体と、前記担体の表面上及び／又は内部に配設された、検出成分を含有する反応部分とを備えてなり、分析対象物質を含んだ試料が前記担体の表面に導入されると、前記反応部分に含有された前記検出成分と接触、反応して、検出可能な物質の生成又は検出可能な特性の呈示が可能な分析用試験片であって、前記反応部分が複数の反応部位に区分されて構成され、前記反応部分における前記検出成分の含有割合が、前記反応部分の一端から他端までにおいて、複数の前記反応部位ごとに、互いに隣接して段階的に、又は互いに離隔、独立して断片的に、増大又は減少するように構成されてなるものであり、前記反応部分における前記検出成分が、スポットの集合体として所定の配列パターンで配置されてなるとともに、前記配列パターンを構成するスポットの配置密度が、前記反応部分の一端から他端までにおいて、前記反応部分を区分する複数の前記反応部位ごとに、連続して段階的に又は不連続で断片的に、増大又は減少するように構成されてなる分析用試験片（以下、「第２の発明」ということがある）。
【００１４】
［７］前記反応部分における前記検出成分が、互いに離隔、独立して配置された複数の種類から構成され、前記検出成分の含有割合が、前記反応部分の一端から他端までにおいて、前記検出成分の複数の種類にそれぞれ対応した複数の前記反応部位ごとに、互いに隣接して段階的に、又は互いに離隔、独立して断片的に、増大又は減少するように構成されてなる前記［６］に記載の分析用試験片。
【００１６】
［８］前記配列パターンを構成するスポットの前記検出成分の含有量が、前記反応部分の一端から他端までにおいて、前記反応部分を区分する複数の前記反応部位ごとに、連続して段階的に又は不連続で断片的に、増大又は減少するように構成されてなる前記［６］又は［７］に記載の分析用試験片。
【００１８】
［９］前記配列パターンを構成するスポットの配置の大きさが、前記反応部分の一端から他端までにおいて、前記反応部分を区分する複数の前記反応部位ごとに、連続して段階的に又は不連続で断片的に、増大又は減少するように構成されてなる前記［６］〜［８］のいずれかに記載の分析用試験片。
【００１９】
［１０］前記配列パターンを構成するスポットの前記検出成分における、前記担体の厚さ方向の含有量が、前記反応部分の一端から他端までにおいて、前記反応部分を区分する複数の前記反応部位ごとに、連続して段階的に又は不連続で断片的に、増大又は減少するように構成されてなる前記［６］〜［９］のいずれかに記載の分析用試験片。
【００２０】
［１１］前記担体が、繊維質体又は多孔質体である前記［１］〜［１０］のいずれかに記載の分析用試験片。
【００２１】
［１２］前記検出成分を含有する前記反応部分が、前記担体の表面上及び／又は内部にインクジェット法を用いて配設されたものである前記［１］〜［１１］のいずれかに記載の分析用試験片。
【００２２】
本発明によって、分析対象物質（例えば、人及び動物の体液、特に尿、血液等）を含んだ試料の性状を検査、分析するための検査チップとして有用で、少量の試料で精密な検査を実施することができるとともに、高品質（高精度、高密度、高感度等）の分析用試験片が提供される。
【図面の簡単な説明】
【００２３】
【図１】第１の発明の分析用試験片の基本例（第１基本例）を模式的に示す説明図である。
【図２】図１に示す第１の発明の分析用試験片（第１基本例）における反応部分を変更した一の変形例（第１変形例１）を模式的に示す説明図である。
【図３】図１に示す第１の発明の分析用試験片（第１基本例）における反応部分の他の変形例（第１変形例２）の一部（Ａ部）を拡大して模式的に示す一部拡大図である。
【図４】図１に示す第１の発明の分析用試験片（第１基本例）における反応部分の他の変形例（第１変形例３）の一部（Ａ部）を拡大して模式的に示す一部拡大図である。
【図５】図１に示す第１の発明の分析用試験片（第１基本例）における反応部分の他の変形例（第１変形例４）の一部（Ａ部）を拡大して模式的に示す一部拡大図である。
【図６】図１に示す第１の発明の分析用試験片（第１基本例）における反応部分の他の変形例（第１変形例５）の一部（Ａ部）を拡大して模式的に示す一部拡大図である。
【図７（ａ）】図１に示す第１の発明の分析用試験片（第１基本例）における反応部分の他の変形例（第１変形例６）の一部（Ａ部）を拡大して模式的に示す一部拡大図である。
【図７（ｂ）】図７（ａ）のＡ−Ａ線における担体の厚さ方向の断面図である。
【図８（ａ）】第２の発明の分析用試験片の一の基本例（第２基本例１）を模式的に示す説明図である。
【図８（ｂ）】図８（ａ）に示す第２の発明の分析用試験片（第２基本例１）における反応部分（Ｂ部）の一部拡大図である。
【図９（ａ）】第２の発明の分析用試験片の他の基本例（第２基本例２）を模式的に示す説明図である。
【図９（ｂ）】図９（ａ）に示す第２の発明の分析用試験片（第２基本例２）における反応部分（Ｄ部）の一部拡大図である。
【図１０】図８（ａ）に示す第２の発明の分析用試験片（第２基本例１）における反応部分を変更した一の変形例（第２変形例１）を模式的に示す説明図である。
【図１１】図８（ａ）に示す第２の発明の分析用試験片（第２基本例１）における反応部分の他の変形例（第２変形例２）の一部（Ｃ部）を拡大して模式的に示す一部拡大図である。
【図１２】図８（ａ）に示す第２の発明の分析用試験片（第２基本例１）における反応部分（Ｂ部）の他の変形例（第２変形例３）を模式的に示す一部拡大図である。
【図１３】図８（ａ）に示す第２の発明の分析用試験片（第２基本例１）における反応部分（Ｂ部）の他の変形例（第２変形例４）を模式的に示す一部拡大図である。
【図１４】図８（ａ）に示す第２の発明の分析用試験片（第２基本例１）における反応部分（Ｂ部）の他の変形例（第２変形例５）を模式的に示す一部拡大図である。
【図１５（ａ）】図８（ａ）に示す第２の発明の分析用試験片（第２基本例１）における反応部分（Ｂ部）の他の変形例（第１変形例６）を模式的に示す一部拡大図である。
【図１５（ｂ）】図１５（ａ）のＣ−Ｃ線における担体の厚さ方向の断面図である。
【符号の説明】
【００２４】
１…担体、１ａ…離隔部、２…反応部分、３…スポット（ドット）、３ａ〜３ｍ、３ｏ〜３ｓ…スポット（ドット）、４…反応部位、４ａ〜４ｓ…反応部位、５…反応部位、５ａ〜５ｄ…反応部位、１０、１０ａ、２０、２０ａ…分析用試験片、Ｘ（Ｘ（Ａ）、Ｘ（Ｂ））、Ｒ（Ｒ（Ａ）、Ｒ（Ｂ））…反応部分の一端、Ｙ（Ｙ（Ａ）、Ｙ（Ｂ））、Ｓ（Ｓ（Ａ）、Ｓ（Ｂ））…反応部分の他端。
【発明を実施するための最良の形態】
【００２５】
以下、本発明を実施するための最良の形態を図面を参照しつつ具体的に説明する。【００２６】
図１は、第１の発明の分析用試験片の基本例（第１基本例）を模式的に示す説明図である。図１に示すように、第１の発明の分析用試験片１０は、担体１と、担体１の表面上及び／又は内部に配設された、検出成分を含有する反応部分２とを備えてなり、分析対象物質を含んだ試料（図示せず）が担体１の表面に導入されると、反応部分２に含有された検出成分と接触、反応して、検出可能な物質（信号物質）の生成又は検出可能な特性（信号特性）の呈示が可能な分析用試験片であって、反応部分２における検出成分の含有割合が、反応部分２の一端（Ｘ）から他端（Ｙ）までにおいて、連続的に増大又は減少するように構成されてなるものであり、反応部分２における検出成分が、スポット（ドット）３の集合体として所定の配列パターン（スポットピッチ）で配置されてなるとともに、配列パターンを構成するスポット（ドット）３の配置密度が、反応部分２の一端（Ｘ）から他端（Ｙ）までにおいて、連続的に増大又は減少するように構成されている。なお、図１においては、反応部分２の一端（Ｘ）から他端（Ｙ）までにおいて、連続的に増大するように構成された場合を示している。
【００２７】
このように、分析用試験片１０内で反応部分２における検出成分の単位面積（体積）当りの量に差を設けることによって、分析対象物質を含んだ試料の濃度を１枚の分析試験片でアナログ的に検出することができ、試料の濃度の数値化が可能となる。従って、分析試験片１枚分の少量の試料で精密な値を検査結果として出力することができる。【００２８】
第１の発明に用いられる担体１としては、検出成分をその表面上及び／又は内部に配設、保持して反応部分を形成することが可能なものであれば特に制限はないが、平坦面を有するものが好ましい。例えば、繊維質体又は多孔質体を好適例として挙げることができる。中でも、親水性の繊維質体又は多孔質体が好ましい。その材質としては、例えば、セルロース類、ポリエーテルスルホン類、アクリル重合体等が好適で、その孔径としては０．２μｍ〜数μｍが好適である。このように、担体１として繊維質体又は多孔質体を用いることによって、反応部分を形成する検出成分の、担体１の内部への浸透量を増大させて厚 さ方向に多くの検出成分を保持することができ、分析感度を向上させた、高感度な試験片を得ることができる。【００２９】
第１の発明に用いられる検出成分としては、分析対象物質を含んだ試料の導入によって、試料中の分析対象物質と接触反応して信号物質の生成又は信号特性の呈示が可能なものであれば特に制限はなく、１種類単独であってもよく、複数種の組み合わせであってもよい。１種類単独の場合、例えば、分析対象物質として乳酸脱水素酵素の活性を測定する場合（試料として、乳酸脱水素酵素を含む溶液を用いる場合）、検出成分の溶液としては、基質として乳酸、補酵素としてＮＡＤ（ニコチンアミドアデニンジヌクレオチド）、電子キャリアーとして１−メトキシＰＭＳ（フェナジンメトサルフェート）、テトラゾリウム試薬としてＮＴＢ（ニトロテトラゾリウムブルー）を含む溶液を、リン酸緩衝液、トリス塩酸（Ｔｒｉｓ−ＨＣｌ）緩衝液等の緩衝液でｐＨを所定の値に調整したものを挙げることができる。また、上述の溶液に界面活性剤を所定量添加してもよい。界面活性剤を添加することによって担体の表面／内部での検出成分を均一に分散させることができる。このような表面活性剤としては、例えば、アニオン系、カチオン系、ノニオン系等のいずれであってもよく、使用条件に応じて適宜選定することができる。アニオン系としては、アルキルアリルスルホン酸塩、アルキルベンゼンスルホン酸塩等、カチオン系としては、アルキル・トリメチルアンモニウム、アルキル・ピリジウム等、ノニオン系としては、ポリオキシエチレン脂肪酸エステル、ポリオキシエチレンアルキルフェ二ール等を好適例として挙げることができる。【００３０】
第１の発明においては、検出成分の中に発色体を含有させることが好ましい。なお、複数種の検出成分を組み合わせて用いる場合には、そのうちの少なくとも一種に発色体を含有させることが好ましい。検出成分の中に発色体を含有させることによって、明確な信号物質の生成又は信号特性の呈示が可能となる。このような発色体を含有する溶液としては、例えば、還元系としてテトラゾリウム試薬、酸化系として４−アミノアンチピリン、フェノール系等の溶液を挙げることができる。また、複数種の検出成分を組み合わせて用いる場合には、種類ごとに異なる発色を示す発色体を含有させることが好ましい。このように構成することによって、目視検査において、検査結果の判断を容易かつ正確に行うことができる。【００３１】
図２は、図１に示す第１の発明の分析用試験片（第１基本例）における反応部分を変更した一の変形例（第１変形例１）を模式的に示す説明図である。図２に示すように、この第１変形例１においては、分析用試験片１０ａの反応部分２における検出成分が、互いに離隔、独立して配置された複数の種類から構成され、検出成分の含有割合が、反応部分２の一端（Ｘ（Ａ）及びＸ（Ｂ））から他端（Ｙ（Ａ）及びＹ（Ｂ））までにおいて、検出成分の種類ごとに、連続的に増大又は減少するように構成されている。なお、図２においては、互いに離隔、独立して配置された２種類（Ａ種及びＢ種）の検出成分を用いた場合を示している。また、図２においては、Ａ種（Ｂ種も同様）の検出成分は、他端（Ｙ（Ａ）及びＹ（Ｂ））側（図面における下側）の方が検出成分の含有割合が多いことを示している。さらに、図２においては、離隔部１ａによって、２種類（Ａ種及びＢ種）の検出成分が互いに離隔、独立して配置された場合を示している。【００３２】
このように構成することによって、少量の試料で、複数の検査項目を正確に検査することができる。【００３３】
このような、互いに離隔、独立して配置された２種類（Ａ種及びＢ種）の検出成分の組み合わせの例としては、例えば、分析対象物質として第１の種類（Ａ種）としてグルコースを測定するものと第２の種類（Ｂ種）としてコレステロールを測定するものの場合が挙げられる。【００３４】
上述の組み合わせの具体的な例としては、Ａ種の検出成分の溶液として、グルコース脱水素酵素、補酵素としてのＮＡＤ（ニコチンアミドアデニンジヌクレオチド）、電子キャリアーとしてのジアホラーゼ、ＭＴＴ（３−（４，５−ジメチルチアゾ−ル−２−イル）−２，５−ジフェニル−２Ｈ−テトラゾリウムブロミド）を含む溶液を用いるとともに、Ｂ種の検出成分の溶液として、コレステロール脱水素酵素、補酵素としてのＮＡＤ（ニコチンアミドアデニンジヌクレオチド）、電子キャリアーとしての１−メトキシＰＭＳ（フェナジンメトサルフェート）、テトラゾリウム試薬としてのＮＴＢ（ニトロテトラゾリウムブルー）を含む溶液を用い、トリス塩酸（Ｔｒｉｓ−ＨＣｌ）緩衝液等で所定の値にｐＨを調整したものを挙げることができる。また、上述の溶液に界面活性剤を所定量添加してもよい。界面活性剤を添加することによって担体の表面／内部での検出成分を均一に分散させることができる。このような表面活性剤としては、例えば、アニオン系、カチオン系、ノニオン系等のいずれであってもよく、使用条件に応じて適宜選定することができる。アニオン系としては、アルキルアリルスルホン酸塩、アルキルベンゼンスルホン酸塩等、カチオン系としては、アルキル・トリメチルアンモニウム、アルキル・ピリジウム等、ノニオン系としては、ポリオキシエチレン脂肪酸エステル、ポリオキシエチレンアルキルフェ二ール等を好適例として挙げることができる。上述のように構成することで、Ａ種の検出成分においては、グルコースを検出すると青色に発色し、Ｂ種の検出成分においては、コレステロールを検出すると赤紫色に発色する。【００３５】
図３は、図１に示す第１の発明の分析用試験片（第１基本例）における反応部分の他の変形例（第１変形例２）の一部（Ａ部）を拡大して模式的に示す一部拡大図である。図３に示すように、この第１変形例２においては、反応部分２における検出成分が、スポット（ドット）３の集合体として、所定の配列パターン（スポットピッチ）で配置されて構成されている。なお、図３においては、図１に示す他端（Ｙ）側（図面における下側）の方が各スポット（ドット）３の検出成分の含有割合が多いことを示している。この場合、スポット（ドット）３の形状としては特に制限はなく、例えば、担体１の表面に平行な所定の平面（例えば、担体１の表面から１／２の深さの部位を通る平面）で切断した断面形状が、円形状、楕円形状、長円形状、レーシングトラック形状等を挙げることができる。【００３６】
このように構成することによって、担体表面又は内部に配置された検出成分に、周辺から試料を容易に供給することができ、配置した検出成分を効率よく反応させることが可能となる。従って、少量の検出成分で十分な検出感度が得られる。また、ドットの表面全体から反応を進めることができるので検出時間の短縮化が可能となる。【００３７】
スポット（ドット）及び配列パターンの形成方法については後述する。【００３８】
図４は、図１に示す第１の発明の分析用試験片（第１基本例）における反応部分の他の変形例（第１変形例３）の一部（Ａ部）を拡大して模式的に示す一部拡大図である。図４に示すように、この第１変形例３においては、反応部分２における配列パターンを構成するスポット（ドット）３の検出成分の含有量が、反応部分２の一端（Ｘ）から他端（Ｙ）までにおいて、連続的に増大又は減少するように構成されている。なお、図４においては、スポット（ドット）３のうち、検出成分の含有量が異なる３種類のスポット（ドット）３ａ、３ｂ、３ｃを示し、スポット（ドット）３ａの含有量が最も少なく、スポット（ドット）３ｃの含有量が最も多い場合を示している。【００３９】
このように構成することによって、ドットサイズを変えることなく感度変化を付与することができる。従って、小さなエリアで高ダイナミックレンジの分析用試験片とすることができる。【００４０】
図５は、図１に示す第１の発明の分析用試験片（第１基本例）における反応部分の他の変形例（第１変形例４）の一部（Ａ部）を拡大して模式的に示す一部拡大図である。図５に示すように、この第１変形例４においては、反応部分２における配列パターンを構成するスポット（ドット）３の配置密度が、反応部分２の一端（Ｘ）から他端（Ｙ）までにおいて（図１参照）、連続的に増大又は減少するように構成されている。なお、図５においては、スポット（ドット）３のうち、配置密度の異なる４種類のスポット（ドット）３ｄ、３ｅ、３ｆ、３ｇを示し、それぞれの配置間隔のピッチｐ１、ｐ２、ｐ３が他端（Ｙ）側でより密（ｐ１＞ｐ２＞ｐ３）になっている場合を示しているが、一端（Ｘ）から他端（Ｙ）までの方向に垂直な方向において配置間隔のピッチを異ならせてもよく、一端（Ｘ）から他端（Ｙ）までの方向及びそれに垂直な方向の両方向において配置間隔のピッチを異ならせてもよい。【００４１】
図６は、図１に示す第１の発明の分析用試験片（第１基本例）における反応部分の他の変形例（第１変形例５）の一部（Ａ部）を拡大して模式的に示す一部拡大図である。図６に示すように、この第１変形例５においては、反応部分２における配列パターンを構成するスポット（ドット）３の大きさが、反応部分２の一端（Ｘ）から他端（Ｙ）までにおいて（図１参照）、連続的に増大又は減少するように構成されている。なお、図６においては、スポット（ドット）３のうち、大きさの異なる３種類のスポット（ドット）３ｈ、３ｉ、３ｊを示し、それぞれの大きさが他端（Ｙ）側でより大になっている（スポット（ドット）３ｈが最も小さく、スポット（ドット）３ｊが最も大きい）場合を示している。【００４２】
上述の第１変形例４及び第１変形例５のように構成することによって、同一濃度、同一量の検出成分（溶液）で、容易に感度差をつけることができるため生産性が高い分析試験片が得られるとともにに、同一試験片内で感度差を確実につけることができる。【００４３】
図７（ａ）は、図１に示す第１の発明の分析用試験片（第１基本例）における反応部分の他の変形例（第１変形例６）の一部（Ａ部）を拡大して模式的に示す一部拡大図であり、図７（ｂ）は、図７（ａ）のＡ−Ａ線における担体の厚さ方向の断面図である。図７（ａ）に示すように、この第１変形例６においては、反応部分２における配列パターンを構成するスポット（ドット）３の検出成分における、担体１の厚さ方向の含有量が、反応部分２の一端（Ｘ）から他端（Ｙ）までにおいて（図１参照）、連続的に増大又は減少するように構成されている。なお、図７（ａ）においては、スポット（ドット）３のうち、担体１の厚さ方向の含有量が異なる３種類のスポット（ドット）３ｋ、３ｌ、３ｍを示し、それぞれの検出成分の含有量の大きさが他端（Ｙ）側でより大になっている（スポット（ドット）３ｋが最も少なく、スポット（ドット）３ｍが最も多い）場合を示している。【００４４】
このように構成することによって、担体１の厚さ方向で反応させることができ、小さなエリアで高ダイナミックレンジの試験片とすることができる。【００４５】
第１の発明においては、上述の第１基本例及び第１変形例１〜６を適宜組み合わせて構成してもよい。【００４６】
図８（ａ）は、第２の発明の分析用試験片の一の基本例（第２基本例１）を模式的に示す説明図であり、図８（ｂ）は図８（ａ）に示す第２の発明の分析用試験片（第２基本例１）における反応部分（Ｂ部）の一部拡大図である。また、図９（ａ）は、第２の発明の分析用試験片の他の基本例（第２基本例２）を模式的に示す説明図であり、図９（ｂ）は図９（ａ）に示す第２の発明の分析用試験片（第２基本例２）における反応部分（Ｄ部）の一部拡大図である。図８（ａ）及び図９（ａ）に示すように、第２の発明の分析用試験片２０は、担体１と、担体１の表面上及び／又は内部に配設された、検出成分を含有する反応部分２とを備えてなり、分析対象物質を含んだ試料が担体１の表面に導入されると、反応部分２に含有された検出成分と接触、反応して、検出可能な物質（信号物質）の生成又は検出可能 な特性（信号特性）の呈示が可能な分析用試験片であって、反応部分２が複数の反応部位４、５（図８（ｂ）においては、反応部位４ａ、４ｂ、４ｃ、４ｄを示し、図９（ｂ）においては、反応部位５ａ、５ｂ、５ｃ、５ｄを示す）に区分されて構成され、反応部分２における検出成分の含有割合が、反応部分２の一端（Ｒ）から他端（Ｓ）までにおいて、複数の反応部位４、５（図８（ｂ）においては、反応部位４ａ、４ｂ、４ｃ、４ｄを示し、図９（ｂ）においては、反応部位５ａ、５ｂ、５ｃ、５ｄを示す）ごとに、図８（ａ）に示すように、互いに隣接して段階的に、又は図９（ａ）に示すように、互いに離隔、独立して断片的に、増大又は減少するように構成されている。ここで、「互いに隣接して」とは、反応部位の外郭が互いに接触して配設される場合だけではなく、若干の間隔を空けて配設される場合も含むことを意味する。【００４７】
このように、分析用試験片２０内で反応部分２における検出成分の単位面積（体積）当りの量に差を設けることによって、分析対象物質を含んだ試料の濃度を１枚の分析試験片でアナログ的に検出することができ、試料の濃度の数値化が可能となる。従って、分析試験片１枚分の少量の試料で精密な値を検査結果として出力することができる。また、反応部位の面積（体積）を大きくすることによって（検出成分が同一量である領域を多くすることによって）、目視検査における判定を容易かつ正確に行うことができる。すなわち、目視検査における判定をする際、同一量である領域の幅は０．０５ｍｍから５ｍｍ、より好ましくは０．３ｍｍ〜２ｍｍとすると判断しやすくなる。レーザービーム等の検査装置で検査する際は、検査装置の検査スポット径に合わせ適宜寸法（幅）を設定すればよい。また、第２基本例２の場合は反応部分２における検出成分の含有割合が互いに離隔、独立して断片的に変化する（増大又は減少する）ように構成されているため、レーザービーム等の検査装置で自動的に検査する際、容易に検査をすることができる。また、不連続部の大きさを分析試験片内で適宜変化させてアライメントに応用することも可能であり、自動検査を容易化することができる。【００４８】
第２の発明においては、担体１、検出成分等の構成成分として、第１の発明と同様のものを用いることができるとともに、同様に構成することができる。なお、以下の第２の発明の変形例（第２変形例）としては、とくに断らない限り、各反応部位における検出成分が、互いに隣接して段階的に増大又は減少するように構成した場合（図８（ａ）に示した場合）を示す。【００４９】
図１０は、図８（ａ）に示す第２の発明の分析用試験片（第２基本例１）における反応部分を変更した一の変形例（第２変形例１）を模式的に示す説明図である。図１０に示すように、この第２変形例１においては、反応部分２における検出成分が、互いに離隔、独立して配置された複数の種類から構成され（各種類の間には検査成分の存在しない領域が配置される）、検出成分の含有割合が、反応部分の一端（Ｒ（Ａ）及びＲ（Ｂ））から他端（Ｓ（Ａ）及びＳ（Ｂ））までにおいて、検出成分の複数の種類にそれぞれ対応した複数の反応部位ごとに、互いに隣接して段階的に増大又は減少するように構成されている。なお、図１０においては、互いに独立した２種類（Ａ種及びＢ種）の検出成分からなる４つの反応部位（Ａ種の検出成分からなる互いに隣接した反応部位４ｅ、４ｆ及びＢ種の検出成分からなる互いに隣接した反応部位４ｇ、４ｈ）を用いた場合を示している。また、図１０においては、Ａ種の検出成分からなる反応部位４ｅ、４ｆは、他端（Ｓ（Ａ））側の反応部位４ｆの方がその含有割合が多いこと、及びＢ種の検出成分からなる反応部位４ｇ、４ｈは、他端（Ｓ（Ｂ））側の反応部位４ｈの方がその含有割合が多いことを示している。【００５０】
このように構成することによって、少量の試料で、複数の検査項目を正確に検査することができる。【００５１】
図１１は、図８（ａ）に示す第２の発明の分析用試験片（第２基本例１）における反応部分２ の他の変形例（第２変形例２）の一部（Ｃ部）を拡大して模式的に示す一部拡大図である。図１１に示すように、この第２変形例１においては、反応部分２における検出成分が、スポット（ドット）３の集合体として所定の配列パターン（スポットピッチ）で配置されて構成されている。【００５２】
このように構成することによって、第１変形例２と同様に、担体表面又は内部に配置された検出成分に、周辺から試料を容易に供給することができ、配置した検出成分を効率よく反応させることが可能となる。従って、少量の検出成分で十分な検出感度が得られる。また、ドットの表面全体から反応を進めることができるので検出時間の短縮化が可能となる。【００５３】
図１２は、図８（ａ）に示す第２の発明の分析用試験片（第２基本例１）における反応部分（Ｂ部）の他の変形例（第２変形例３）を模式的に示す一部拡大図である。図１２に示すように、この第２変形例３においては、反応部分２における配列パターンを構成するスポット（ドット）３の検出成分の含有量が、反応部分２の一端（Ｒ）から他端（Ｓ）までにおいて（図８（ａ）参照）、反応部分２を区分する複数の反応部位４ごとに、互いに隣接して段階的に増大又は減少するように構成されてなるものである。なお、図１２においては、スポット（ドット）３の検出成分の含有量が異なる互いに隣接した３つの反応部位４ｉ、４ｊ、４ｋを示し、反応部位４ｉにおける検出成分の含有量が最も少なく、反応部位４ｋにおける検出成分の含有量が最も多い場合を示している。【００５４】
このように構成することによって、ドットサイズを変化させずに感度変化を付与することができる。従って、小さなエリアで高ダイナミックレンジの分析用試験片とすることができる。【００５５】
図１３は、図８（ａ）に示す第２の発明の分析用試験片（第２基本例１）における反応部分（Ｂ部）の他の変形例（第２変形例４）を模式的に示す一部拡大図である。図１３に示すように、この第２変形例４においては、反応部分２における配列パターンを構成するスポット（ドット）３の配置密度が、反応部分２の一端（Ｒ）から他端（Ｓ）までにおいて（図８（ａ）参照）、反応部分２を区分する複数の反応部位４ごとに、互いに隣接して段階的に増大又は減少するように構成されている。なお、図１３においては、スポット（ドット）３の配置密度の異なる互いに隣接した３つの反応部位４ｌ、４ｍ、４ｎを示し、それぞれの反応部位４ｌ、４ｍ、４ｎにおけるスポット（ドット）３の配置間隔のピッチｐ１、ｐ２、ｐ３が他端（Ｓ）側でより密（ｐ１＞ｐ２＞ｐ３）になっている場合を示しているが、一端（Ｒ）から他端（Ｓ）までの方向に垂直な方向において配置間隔のピッチを異ならせてもよく、一端（Ｒ）から他端（Ｓ）までの方向及びそれに垂直な方向の両方向において配置間隔のピッチを異ならせてもよい。【００５６】
図１４は、図８（ａ）に示す第２の発明の分析用試験片（第２基本例１）における反応部分（Ｂ部）の他の変形例（第２変形例５）を模式的に示す一部拡大図である。図１４に示すように、この第２変形例５においては、反応部分２における配列パターンを構成するスポット（ドット）３の配置の大きさが、反応部分２の一端（Ｒ）から他端（Ｓ）までにおいて（図８（ａ）参照）、反応部分２を区分する複数の反応部位４ごとに、互いに隣接して段階的に増大又は減少するように構成されている。なお、図１４においては、スポット（ドット）３の配置の大きさの異なる互いに隣接した２つの反応部位４ｏ、４ｐを示し、それぞれの反応部位４ｏ、４ｐにおけるスポット（ドット）３ｏ、３ｐの配置の大きさは、反応部位４ｏにおける方が反応部位４ｐにおけるよりも小さくなっている。【００５７】
このように構成することによって、第１変形例４及び第１変形例５と同様に、同一濃度、同一量の検出成分（溶液）で、容易に感度差をつけることができるため生産性が高い分 析試験片が得られるとともに、同一試験片内で感度差を確実につけることができる。また、配置ピッチ及びドットの直径は、溶液の感度、担体と溶液との濡れ性等を勘案して、互いに接触しない範囲で設定すればよいが、目視検査を考慮して、ドット形状が見えない範囲でドット間（ピッチからドットの直径を引いた値）を小さくすることが好ましい。具体的には、ドット間を０．５ｍｍ以下にすることが好ましく、０．１ｍｍ以下にすることがさらに好ましい。【００５８】
図１５（ａ）は、図８（ａ）に示す第２の発明の分析用試験片（第２基本例１）における反応部分（Ｂ部）の他の変形例（第２変形例６）を模式的に示す一部拡大図であり、図１５（ｂ）は、図１５（ａ）のＣ−Ｃ線における担体の厚さ方向の断面図である。図１５（ａ）に示すように、この第２変形例６においては、反応部分２における配列パターンを構成するスポット（ドット）３の検出成分における、担体１の厚さ方向の含有量が、反応部分の一端（Ｒ）から他端（Ｓ）までにおいて（図８（ａ）参照）、反応部分２を区分する複数の反応部位４ごとに、互いに隣接して段階的に増大又は減少するように構成されている。なお、図１５（ａ）においては、担体１の厚さ方向のそれぞれの検出成分の含有量が異なる３種類のスポット（ドット）３ｑ、３ｒ、３ｓから構成された互いに隣接した３つの反応部位４ｑ、４ｒ、４ｓを示し、それぞれにおける検出成分の含有量の大きさが他端（Ｓ）側でより大になっている（反応部位４ｑが最も少なく、反応部位４ｓが最も多い）場合を示している。【００５９】
このように構成することによって、担体１の厚さ方向で反応させることができ、小さなエリアで高ダイナミックレンジの試験片とすることができる。【００６０】
第２の発明においては、上述の第２基本例１、２及び第２変形例１〜６を適宜組み合わせて構成してもよい。また、独立した複数種の検出成分から構成される検出成分を、担体の厚さ方向に配置し、異なる検出成分間には、溶液が浸透しない（選択的に検出要素を透過させない）基板を配置することで、両面へ試薬を滴下（浸漬させる）必要はあるが、小さなエリアで異種の検査を容易かつ確実に実施することができる。【００６１】
本発明（第１の発明及び第２の発明）においては、検出成分を含有する反応部分２が、担体１の表面上及び／又は内部にインクジェット法を用いて配設されたものであることが好ましい。【００６２】
一般に、分析用試験片を製造する際に、担体上に検出成分を含有した反応部分を形成する方法としては、例えば、含浸法、ＱＵＩＬＬ方式、ピン＆リング方式、或いはスプリングピン方式が広く用いられている。【００６３】
含浸法は、担体表面及び／又は内部に検出成分（溶液）が配設されるように、検出成分（溶液）を担体に浸漬させ、その後乾燥させ、検出成分を固定化する方法である。しかし、この方法には、近年、分析用試験片に要請されている高精度化、高密度化、高感度化（具体的には、検出成分の濃度差や密度差を設けた反応部分を形成すること）等に対応することが困難である等の問題がある。【００６４】
ＱＵＩＬＬ方式は、ピン先に形成された凹部に検出成分（溶液）を貯め、ピン先を担体に接触させることで凹部内の検出成分（溶液）を担体上に移してスポット（反応部分）を形成する方法である。しかし、この方式には、ピン先が担体との接触によって変形し、或いは損傷する等の耐久性の問題や、凹部に溜められた検出成分（溶液）の洗浄が不完全となってクロスコンタミネーションが起こりやすい等の問題がある。【００６５】
ピン＆リング方式は、マイクロプレート中の検出成分（溶液）をリングでリザーブした後、検出成分（溶液）がリザーブされたリング内側を貫通するようにしてピン先でリング 内の検出成分（溶液）を捉え、担体上にスポット（反応部分）を形成していく方法である。しかし、この方式には、１回にリザーブできる検出成分（溶液）はリングの数に依存し、従来、その数は数種類程度であることから、数千種から数万種といった検出成分（溶液）の微小スポット（反応部分）を形成するためには、数百から数千回程度の洗浄・乾燥工程もまた必要となり、従って、生産性が高いとは言い難いという問題がある。また、担体上における検出成分（溶液）の広がり方（液量）に再現性がないとの問題もある。【００６６】
スプリングピン方式は、ピン先に付着した検出成分（溶液）を、ピン先を担体に押付けることで担体上に移して微小スポット（反応部分）を形成する方法であり、スプリングを内蔵した二重ピン構造で、ピン、担体の損傷をやわらげ、検出成分（溶液）を吹き出すものである。しかし、この方式には、基本的には１回のリザーブで１回のスポッティングしかできず、生産性に劣っている。さらに、これら従来の微小スポット（反応部分）の形成方法は、すべて検出成分（溶液）を大気中にさらした状態で担体上に運ぶため、運ぶ途中で検出成分（溶液）が乾燥し、スポッティングができなくなるといった不具合が生じ、大変高価な検出成分（溶液）の使用効率が悪いとの問題がある。【００６７】
これに対し、インクジェット法を用いて、反応部分２を担体１の表面上及び／又は内部に配設することによって、非接触の状態で検出成分を含む溶液を担体１の表面等に供給することができ、担体１に傷等をつけることなしに、高速で効率よく分析用試験片を得ることができる。【００６８】
また、インクジェット法を用いることによって、反応部分、例えば、所定の配列パターンにおけるスポット（ドット）の位置の高精度化、高密度化、高感度化を図ることができるとともに、スポットごとの投入液量（スポット量）の正確化を図ることができる。従って、分析用試験片内で所定の感度に正確に合わせることができ、分析の信頼性が向上し、分析用試験片を大きくしても品質の均一性を保持することができ、生産の効率化を図ることができる。また、高密度化により少量の試料でも検出可能な高感度の分析用試験片を得ることができる。さらに、投入液量の正確化が図れるので、得られる分析用試験片の測定誤差を低減することができ、測定変動を抑制することができる。【００６９】
インクジェット法に用いられる液滴吐出装置としては、例えば、流路が形成された流路基体と、この流路基体に組み付けられて加圧室としてキャビティ内の容積を変化させる機能を有するアクチュエータ部と、流路基体の下面に貼着され、且つ吐出ノズルが形成されたノズル基体と、流路基体の後部の上面に設けられた液体注入部とを備えたもの（以下、「吐出ユニット」ということがある）を挙げることができる。具体的には、特開２００３−７５３０５号公報に記載されている１つの吐出ユニット又は複数の吐出ユニットを好適に用いることができる。【００７０】
複数の吐出ユニットを用いるとき、同時に複数ドットを形成することで効率良く試験片を製作できる。また各吐出ノズルの寸法をそれぞれ異なるサイズにすることで吐出量に差をつけるようにすると、検出成分量に差をつけることが容易にでき好適である。また、各吐出ユニットでキャビティ内の容積を変化させる量または速度を変更することで吐出量に差をつけてもよく、また、液注入部の液面と吐出ノズルとの高低差を各吐出ユニット間で差をつけることで、各吐出デバイス間で吐出量差をつけることも吐出量に差をつけるとき好適である。【００７１】
また、このような液滴吐出装置を制御するシステムとしては、例えば、特開２００３−９８１８３号公報に記載されたものを好適に用いることができる。またインクジェット法以外で、溶液の粘性を考慮しメッシュ開口率を変えるようにしたスクリーン印刷法等も適宜使用可能である。【００７２】
本発明においては、担体の表面とは反対側の表面（裏面）側に、担体を支持する支持体をさらに配設してもよい。このようにすることによって、取り扱いが容易で、スポット（ドット）を形成する際の配列（アライメント）を容易化することができる。なお、支持体としては、例えば、材質として、金属、セラミックス、ガラス、樹脂等を挙げることができる。【００７３】
また、担体上における反応部分の外側に、検出成分が正常に反応することを予め確認するための確認用の反応部分をさらに配設したものであってもよい。また、目視検査における判定の容易化のため、反応部分の一端（Ｘ）又は（Ｒ）から他端（Ｙ）又は（Ｓ）までにおいて、反応部分２を区分する複数の反応部位４ごとに、連続して段階的に又は不連続で断片的に、増大又は減少するように構成されている各反応部位４の中に、その感度を示すマーキングを配設してもよい。このようなマーキングとしては、例えば、その箇所に検出成分を何も配置しないようにすること等を挙げることができる。
【実施例】
【００７４】
以下、本発明を実施例によってさらに具体的に説明するが、本発明はこれらの実施例によって何ら限定されるものではない。なお、本実施例においては、インクジェット法を用いて分析試験片を作製し、同一の検査液量でアナログ検出をすることが可能か否か検討した。【００７５】
（実施例１）
担体として、材質が親水性セルロース混合エステル、サイズが５ｍｍ×５ｍｍ、孔径が０．８μｍ、厚さが０．１６ｍｍのものを用い、この担体に配置する検出成分を含有する溶液として、１００単位／ｍｌのグルコース脱水素酵素、２０ｍＭのβ−ＮＡＤ（ニコチンアミドアデニンジヌクレオチド）、２０単位／ｍｌのジアホラーゼ、２０ｍＭのＭＴＴ（３−（４，５−ジメチルチアゾ−ル−２−イル）−２，５−ジフェニル−２Ｈ−テトラゾリウムブロミド）を用い、さらに、反応部分を形成する方法として、特開２００３−７５３０５号公報に記載されている吐出ユニット（インクジェット法）を用いて、分析試験片の評価用サンプルを作製した。この評価用サンプルは、サイズ５ｍｍ×５ｍｍ内の３ｍｍ×３ｍｍに、８つの反応部位を有し（アナログ的に８段階の感度差を有し）、反応部分における各反応部位の単位面積当りの成分量（溶液の液量）を、１ｎＬ／ｍｍ2から８ｎＬ／ｍｍ2まで８段階に連続的に増大させたものとした。また、分析対象物質を含んだ試料として、グルコースの含有量をパラメータとした（グルコースの含有量を１０ｍｇ／ｄｌ、２０ｍｇ／ｄｌ、５０ｍｇ／ｄｌとした）溶液を調製し、評価用サンプルの担体の表面に塗布して、評価用サンプルの感度特性を目視検査によって評価した。その結果を表１に示す。表１に示すように、評価用サンプルの反応部分に、反応部位（成分量（溶液の液量））ごとに、表１に示す状態での青色の発色を確認した。なお、表１中、符号×は、青色の発色が全く見えない場合、符号△は、やや見える場合、符号○は、見える場合をそれぞれ示す。【００７６】
【表１】
0004584919.tif 000002
【００７７】
表１からわかるように、１枚の分析用試験片（各反応部位における検出成分の含有割合が、反応部分の一端から他端までにおいて、連続的に増大するように構成された１枚の分析用試験片）によって、グルコースの量がアナログ的に検出されることが確認された。【００７８】
（実施例２）
実施例１において、担体に配置する検出成分を含有する溶液として、１０単位／ｍｌのコレステロール脱水素酵素、５ｍＭのＮＡＤ（ニコチンアミドアデニンジヌクレオチド）、２０単位／ｍｌのジアホラーゼ、５ｍＭのＮＴＢをトリス緩衝液（ｐＨ８．０）で溶解したものを用い、また、分析対象物質を含んだ試料として、コレステロールの含有量をパラメータとした（コレステロールの含有量を２０ｍｇ／ｄｌ、４０ｍｇ／ｄｌ、１００ｍｇ／ｄｌとした）溶液を用いたこと以外は実施例１と同様にして、評価用サンプルを作製し、実施例１と同様に評価用サンプルの感度特性を目視検査によって評価した。その結果を表２に示す。表２に示すように（表２中における符号の意味は表１における場合と同様である）、評価用サンプルの反応部分に、反応部位（成分量（溶液の液量））ごとに、表２に示す状態での赤紫色の発色を確認した。【００７９】
【表２】
0004584919.tif 000003
【００８０】
表２からわかるように、１枚の分析用試験片（各反応部位における検出成分の含有割合が、反応部分の一端から他端までにおいて、連続的に増大するように構成された１枚の分析用試験片）によって、コレステロールの量がアナログ的に検出されることが確認された。また、実施例１及び実施例２においては、ともにインクジェット法で分析用試験片（評価用サンプル）を作製したが、スクリーン印刷法、液含浸法等を適宜選択して用いてもよい。
【産業上の利用可能性】
【００８１】
本発明の分析用試験片は、研究、創薬、診断、医療等の分野で、分析対象物質（例えば、人及び動物の体液、特に尿、血液等）を含んだ試料の性状を検査、分析するための検査チップ等の製造に有効に利用される。
【図１】
0004584919.tif 000004
【図２】
0004584919.tif 000005
【図３】
0004584919.tif 000006
【図４】
0004584919.tif 000007
【図５】
0004584919.tif 000008
【図６】
0004584919.tif 000009
【図７（ａ）】
0004584919.tif 000010
【図７（ｂ）】
0004584919.tif 000011
【図８（ａ）】
0004584919.tif 000012
【図８（ｂ）】
0004584919.tif 000013
【図９（ａ）】
0004584919.tif 000014
【図９（ｂ）】
0004584919.tif 000015
【図１０】
0004584919.tif 000016
【図１１】
0004584919.tif 000017
【図１２】
0004584919.tif 000018
【図１３】
0004584919.tif 000019
【図１４】
0004584919.tif 000020
【図１５（ａ）】
0004584919.tif 000021
【図１５（ｂ）】
0004584919.tif 000022